(57)【特許請求の範囲】
【請求項１】
ハウジングと、
前記ハウジング内に配置されて、気流を受け入れる入口から出口まで延びる穴と、
前記穴に配置されて、前記穴を通る空気を受け入れるように構成され位置付けられる動圧孔と、
前記ハウジングの外表面に配置されて、静的空気を受け入れるように構成され位置付けられる静圧孔と、
前記動圧孔で受け入れられる動的空気、及び前記静圧孔で受け入れられる静的空気の間の差圧を測定するように構成される装置と、
前記動圧孔又は前記静圧孔の少なくとも一つにわたるガス透過膜であり、前記ガス透過膜がわたる前記動圧孔又は前記静圧孔の前記少なくとも一つから水分を遠ざけるように構成されるガス透過膜と、
を備えるエアデータシステム。
【請求項２】
前記ガス透過膜は、ポリテトラフルオロエチレン材料を含む、請求項１に記載のエアデータシステム。
【請求項３】
前記入口と前記出口との間の前記穴にスロート部を更に含み、前記動圧孔は前記スロート部に配置される、請求項１に記載のエアデータシステム。
【請求項４】
前記スロート部は疎水性表面を有する、請求項３に記載のエアデータシステム。
【請求項５】
前記穴は、前記入口と前記スロート部との間に上流部を更に含み、前記スロート部と前記出口との間に下流部を更に含み、
前記上流部、前記下流部及び前記スロート部の少なくとも一つは親水性表面を含む、請求項３に記載のエアデータシステム。
【請求項６】
前記静圧孔は、前記ハウジングの外表面に配置される、請求項１に記載のエアデータシステム。
【請求項７】
前記装置は、ダイアフラムによって第１キャビティ及び第２キャビティに密封可能に分割される装置チャンバを更に備え、
前記第１キャビティは前記動圧孔に流体連通し、前記第２キャビティは前記静圧孔に流体連通する、請求項１に記載のエアデータシステム。
【請求項８】
前記装置から受け取った電子入力に基づいて差圧を測定する命令を実行するように構成されるプロセッサを更に備える、請求項１に記載のエアデータシステム。
【請求項９】
前記穴に配置される複数の動圧孔を更に含む、請求項１に記載のエアデータシステム。
【請求項１０】
複数の静圧孔を更に含む、請求項９に記載のエアデータシステム。
【請求項１１】
前記装置は、前記複数の動圧孔の少なくとも１つの孔が受ける気圧と、前記複数の静圧
孔の少なくとも１つの孔が受ける気圧との間の差圧を測定するように構成される、請求項１０に記載のエアデータシステム。
【請求項１２】
前記測定において、前記装置は、前記動圧孔及び前記静圧孔の少なくとも一つが受ける前記気圧が異常であるときに、前記動圧孔及び前記静圧孔の少なくとも一つが受ける前記気圧を無視するように構成される、請求項１１に記載のエアデータシステム。
【請求項１３】
胴体と飛行に適合された翼とを含み、
前記翼は、請求項１に記載のエアデータシステムを搭載する、無人航空機。
【請求項１４】
動圧孔で第１圧力を有する空気を受け入れるステップ（ａ）と、
静圧孔で第２圧力を有する空気を受け入れるステップ（ｂ）と、
水分を少なくとも前記動圧孔又は前記静圧孔からそらすステップ（ｃ）と、
前記動圧孔で受け入れた前記空気及び前記静圧孔で受け入れた前記空気に関連する差圧を測定するステップ（ｄ）と、
を含み、
ステップ（ａ）は、穴の内表面に配置された動圧孔で空気を受け入れるステップを含み、
ステップ（ａ）は、上流部と下流部との間の前記内表面のスロート部に配置された動圧孔で空気を受け入れるステップを含み、
前記上流部及び前記下流部は疎水性表面を有し、前記スロート部は親水性表面を有する、差圧を測定する方法。
【請求項１５】
ステップ（ｃ）は、前記動圧孔又は前記静圧孔の少なくとも一つにわたる位置にガス透過膜を提供するステップを含む、請求項１４に記載の方法。
【請求項１６】
ステップ（ａ）は、複数の動圧孔で空気を受け入れるステップを含み、
ステップ（ｂ）は、複数の静圧孔で空気を受け入れるステップを含み、
ステップ（ｄ）の前記測定は、前記複数の動圧孔の少なくとも一つと、前記複数の静圧孔の少なくとも一つとが受け入れた前記空気に基づく、請求項１４に記載の方法。
【発明の詳細な説明】
【技術分野】
【０００１】
本願は一般に、エアデータシステムにおいて、流体動圧と流体静圧との間の差圧を測定する装置に関するものである。
【背景技術】
【０００２】
＜CFR37規則1.97および1.98により開示する情報を含む関連技術＞
一般にピトー静圧システムを使用して航空機の大気速度を測定する。そのようなピトー静圧システムは一般に、ピトー管等のラム空気源と、静圧孔等の静圧源とを有し、ラム空気源と静圧源とは器具類に連結される。
【発明の概要】
【発明が解決しようとする課題】
【０００３】
航空機で使用する際に、ピトー管は水分やデブリを捉えてしまい、このことで最終的に器具類の示度が不正確になるおそれがあり、気温によって凍結が引き起こされる高高度では破局的故障につながることさえある。ヒーターを実装して凍結を軽減しても、水分及びデブリが依然としてピトー管内又は静圧源の開口部内に蓄積されて、不正確なデータを航空機に提供することになる。
【課題を解決するための手段】
【０００４】
エアデータシステムは、ハウジングと、穴と、動圧孔と、ガス透過膜と、差圧を測定するように構成される装置と、を備える。穴をハウジング内に配置することができ、穴を気流を受け入れる入口から出口まで延在させることができる。動圧孔を穴に配置することができ、動圧孔は穴を通る空気を受け入れるように構成され位置付けられ得る。静圧孔は、不動の空気又は周囲空気を受け入れるように構成され位置付けられ得る。装置は、動圧孔で受け入れられる動的空気と、静圧孔で受け入れられる静的空気との間の差圧を測定することができる。そしてガス透過膜は、動圧孔若しくは静圧孔の一方又はこれらの両方にわたることができる。また、ガス透過膜がわたる孔から水分を遠ざけるように、ガス透過膜が構成される。
【０００５】
別の実施形態では、差圧を測定する方法を提供する。当該方法は、動圧孔で第１圧力を有する空気を受け入れるステップと、静圧孔で第２圧力を有する空気を受け入れるステップと、水分を、動圧孔若しくは静圧孔の一方又はこれらの両方からそらすステップと、動圧孔で受け入れた空気及び静圧孔で受け入れた空気に関連する差圧を測定するステップと、を含む。
【図面の簡単な説明】
【０００６】
【図１】本開示の例示的な環境の斜視図であり、エアデータシステムを有する無人航空機（ＵＡＶ）を示す。
【図２】図１に示すエアデータシステムのハウジングの平行投影図である。
【図３】図２に示すハウジングの、図２の線３−３の切断線に沿って切断した断面図であり、エアデータシステムの部分模式図を含む。
【図４】図２に示すハウジングの、図２の線４−４の切断線に沿って切断した断面図である。
【図５】図２に示すハウジングの、図２の線５−５の切断線に沿って切断した断面図である。
【発明を実施するための形態】
【０００７】
差圧を測定するエアデータシステム１０を、図１−５に一般的に示す。当該システムは、ハウジング１２と、ハウジング１２内に配置されて、気流を受け入れる入口１６から出口１８まで延びる穴１４と、穴１４へ開き、穴１４を通る空気を受け入れるように構成され位置付けられる動圧孔２０と、静的空気を受け入れるように構成され位置付けられる静圧孔２２と、動圧孔２０若しくは静圧孔２２又はこれら両方にわたるガス透過膜２４と、動圧孔２０で受け入れられる動的空気、及び静圧孔２２で受け入れられる静的空気の間の差圧を測定するように構成される装置２６と、を備えることができる。膜２４は、水分を膜２４がわたる孔２０、２２から遠ざけるように、構成され得る。エアデータシステム１０は、入口１６から出口１８へ流れるラム気流から動的空気を受け入れることができる。動圧孔２０によって第１の圧力の動的空気を受け入れることができ、静圧孔２２によって第２の圧力の静的空気を受け入れることができる。そして装置２６は、第１の圧力と第２の圧力との間の差圧に基づくエアデータを提供することができる。図１に示し以下さらに詳細に説明するように、エアデータシステム１０を、無人航空機（ＵＡＶ）で使用し、又は当該無人航空機に搭載することができる。
【０００８】
図１のＵＡＶ３０は、流体の差圧を測定するエアデータシステム１０の一例示的環境にすぎない。いくつかの実装では、流体がハウジングに対して移動する間、システム１０の少なくともハウジング１２をグラウンドに対して固定することができる。例えば図１に示す他の実施形態では、移動する物体又は乗り物にハウジング１２を搭載することができる。この実施形態ではハウジング１２をＵＡＶ３０の翼２８に連結しているが、ハウジング１２を他の箇所に連結することもできる（胴体又は本体２９、尾等）。全ての例において、ＵＡＶは乗り物の一例にすぎず、エアデータシステム１０を使用する他の実装が説明されまた当業者にとって明らかである。
【０００９】
図２において、長手方向に延びる穴１４を囲み一般に円筒状の外表面３２を有する、エアデータシステムのハウジング又は本体１２が示される。穴は、第１端部３６の入口１６と第２端部３８の出口１８との間に、スロート部又はくびれ部３４を有することができる。上流部４０は第１端部３６からスロート部３４に向かって軸方向に延び、下流部４２はスロート部３４から第２端部３８に向かって軸方向に延びる。図示した実装では、穴１４を一般に、スロート部３４で断面積が最も小さくなるような砂時計状とすることができる。ハウジング１２の寸法を変えることができるが、いくつかの実装では、入口１６の直径（Di）又は出口１８の直径（Do）を、０．０１０１６メートル（０．４インチ）から０．０５０８メートル（２インチ）の間にすることができ、スロート部３４の断面直径（Dt）を、入口１６の直径（Di）又は出口１８の直径（Do）の５０％未満とすることができ、ハウジング１２の軸方向長さ（L）を約０．０５０８メートル（２インチ）とすることができる。少なくとも１つの実装では、寸法について、Di = Do = ０．０１０１６メートル（０．４インチ）であり、Dt = ０．００５０８メートル（０．２インチ）であり、L = ０．０５０８メートル（２インチ）である。しかし、いくつかの実施形態ではDi及びDoを変えることができることを理解するはずである。
【００１０】
穴の内表面４４を一般に滑らかとすることができる。上流部４０若しくは下流部４２の一方又はこれらの両方の内表面４４は、親水性物質を含むことができる。またスロート部３４の内表面４４は、疎水性物質を含むことができる。いくつかの実施形態では、親水性物質及び／又は疎水性物質は、穴１４を構成することができる。そして他の実装では、穴１４の内表面４４を被覆することができる。したがって、穴１４を親水性物質で被覆することができ、及び／又は親水性物質で穴１４を構成することができる。親水性物質の例には、Aculon（商標） Hydrophilicコーティング、Lotus Leaf（商標） HydroPhil（商標）及びBiocoat（商標） Hydak（商標）が含まれる。または穴１４を疎水性物質で被覆することができ、及び／又は疎水性物質で穴１４を構成することができる。疎水性物質の例には、Aculon（商標）Superhydrophobicコーティング、Rust-Oleum（商標） NeverWet（商標）、Lotus Leaf（商標） HydroFoe（商標）、Ultra Ever-Dry（商標）コーティング又はInsurftec（商標） Liquipel（商標）が含まれる。一実施形態では内表面４４が滑らかであるが、他の実施形態では穴１４は滑らかではない（例えば内表面は長手方向に延びるリッジ又はライフリング等を有することができる）ことが理解されるはずである。
【００１１】
ハウジング１２は、外表面３２と穴１４との間に、動的空気チャンバ５０及び静的空気チャンバ５２を、間隔をあけて有することができる（図２−５参照）。少なくとも１つの実施形態では、空気チャンバ５０、５２の容積は、穴１４の周りで少なくとも部分的に周方向に延びることができる。図２及び図３では、動的空気チャンバ５０の軸方向位置を、穴１４のスロート部３４内に配置して表しているが、動的空気チャンバ５０はスロート壁５４によって穴１４から分離されている。動的空気チャンバ５０は、スロート部３４の周りで少なくとも部分的に周方向に延び、スロート壁５４から半径方向外側に延在する。ハウジング１２の外表面３２に、動的空気チャンバ５０に流体連通する第１ノズル５６が図示されている（図４も参照のこと）。静的空気チャンバ５２は動的空気チャンバ５０の半径方向外側に存在し、静的空気チャンバ５２の軸方向位置はスロート部３４内であるが、静的空気チャンバ５２は上流部４０及び下流部４２の一部の周りでも軸方向に延在することが図示される。静的空気チャンバ５２は外表面３２に向かって半径方向外側に延び、静的空気チャンバ５２は穴及び動的空気チャンバ５０の周りで少なくとも部分的に周方向に延びる。ハウジング１２の外表面３２に、静的空気チャンバ５２に流体連通する第２ノズル５８が図示されている（図５も参照のこと）。
【００１２】
動的空気チャンバ５０は、穴のスロート部３４（より正確に言えばスロート壁５４）に配置された１つ以上の動圧孔又は開口部２０に流体連通することができる。静的空気チャンバ５２は、ハウジングの外表面３２に配置された１つ以上の静圧孔又は開口部２２に連通することができる。動圧孔２０及び静圧孔２２の大きさ及び形状を変えることができる。いくつかの実装では、孔２０、２２は円形状である。例えば、動圧孔２０の直径を０．０００７６２メートル（０．０３インチ）と０．０１２７メートル（０．５インチ）との間とすることができ、静圧孔２２の直径を０．０００７６２メートル（０．０３インチ）と０．０１２７（０．５インチ）メートルとの間とすることができる。図２及び図３に示す実装では、動圧孔２０の直径は約０．００３１７５メートル（０．１２５インチ）であり、静圧孔２２の直径は約０．００３１７５メートル（０．１２５インチ）である。
【００１３】
動圧孔２０若しくは静圧孔２２のいずれか一方、又はこれらの両方は、孔２０、２２に完全に広がることができるガス透過膜２４を有することができ、またガス透過膜を持たなくてもよい。ガス透過膜２４は、広義に解釈されるべきであり、固体及び液体の浸透を抑制し又は遮ることができるが、一般に気体を通過させる、任意の多孔体を含む。膜２４を低圧膜、すなわち８ヘクトパスカル（８ミリバール、mbar）までの瞬間圧力で防水とすることができ、又は、膜２４を高圧膜、すなわち１７００ヘクトパスカル（１．７バール）までの瞬間圧力で防水とすることができる。適切な材料には、ゴアテックス（登録商標）によって市販されている、e-PTFEすなわち延伸ポリテトラフルオロエチレン、又はセルロース／PET（すなわちポリエチレンテレフタレート不織布）を有する、プロテクティブベント又はアコースティックベントが含まれる。
【００１４】
第１ノズル５６及び第２ノズル５８は、差圧を測定する装置２６に流体連通することができる。図３に示すように、第１ノズル５６は第１通路６４経由で装置２６に連通する。同様に、第２ノズル５８は第２通路６６経由で装置２６に連通する。装置２６は、ダイアフラム等の圧力応答型装置又はセンサ６８と、当該ダイアフラムによって第１キャビティ７２及び第２キャビティ７４に密封可能に分割される装置チャンバ７０とを備えることができる。第１通路６４は第１キャビティ７２に通じ、第２通路６６は第２キャビティ７４に通じる。センサ６８を本質的に、機械的、電気的又は電気機械的なものとすることができる。装置２６を、適切な様々な計器７６（大気速度計等）、又はデータを適切な様々な器具類（デジタル大気速度計等、図示せず）へ電気的に伝えることができるコンピュータ７８に連結させることができる。
【００１５】
図３に示すコンピュータ７８は、プロセッサ８０とメモリ８２とを備える。プロセッサ８０を、電気的な命令を処理できる任意の種類の装置とすることができ、当該装置はマイクロプロセッサ、マイクロコントローラ、ホストプロセッサ、コントローラ、ビークル通信プロセッサ及び特定用途向け集積回路（ASICs）を含む。プロセッサ８０を装置２６のみのために使用される専用プロセッサとすることができ、又は（例えばUAVの）他のシステムとプロセッサ８０を共有することができる。プロセッサ８０は、装置２６が差圧を測定することを可能にする、様々な種類のデジタル式に記憶された命令（例えばメモリ８２に記憶されたソフトウェア又はファームウェアのプログラム）を実行する。例えば、プロセッサ８０はプログラムを実行し又はデータを処理して、以下に説明する方法の少なくとも一部を実行できる。
【００１６】
説明されるエアデータシステム１０を使用して、様々な適切な用途で差圧を測定することができる。例として、図１に表す例示的な環境に関して１つ以上の方法を説明する。最初に、ハウジング１２をＵＡＶ３０の胴体２９、尾、翼２８等に連結することができ、ハウジング１２が入口１６で相対風を受け入れるようにハウジング１２を向けることができる。このことで、穴１４がラム空気を受け入れる向きになり、受け入れられたラム空気が穴１４の動圧孔２０へ移動する向きになり、ハウジング１２の外表面３２の相対風が静圧孔２２へ移動する向きになる。したがって図１において、ハウジング１２が一般にＵＡＶ３０の胴体２９と長手方向に平行することが示される。
【００１７】
ＵＡＶ３０は飛行中に、ラム空気を入口１６から受け入れて、ラム空気に穴１４を通過させて出口１８から出すことができる。ラム空気は、穴１４内へ移動する任意の空気であり、実際の風若しくは相対風のいずれか一方、又はこれらの両方がもたらす空気を含む。ラム空気が上流部４０からスロート部３４を通って移動する際に、断面積{ π × ( Dt / 2 )2 } が減少するにつれて空気の速度が上昇すること（すなわちベンチュリー効果）を、当業者は理解するであろう。ラム空気は動圧孔２０をわたって移動することができる。したがって、動圧孔２０及び関連する膜２４におけるラム空気の圧力を、空気チャンバ５０の圧力、第１通路６４の圧力及び装置２６の第１キャビティ７２の圧力と同じとするか又は関連させることができる。このように、動圧孔２０での気圧を、第１キャビティ７２でダイアフラム６８に作用する圧力と関連付けることができる。例えば、ガス透過膜２４の特性に基づいて、この圧力を測定することができる。
【００１８】
そして最後に、ラム空気はスロート部３４及び動圧孔２０を通り過ぎて、下流部４２へ続き、最終的には出口１８からハウジング１２を出ることができる。
【００１９】
ラム空気が穴１４内に受け入れられる際に、空気はまたハウジング１２の外表面３２上及び静圧孔２２上を横断する。静圧孔２２及び関連する膜２４における周囲の気圧は、静的空気チャンバ５２の圧力、第２通路６６の圧力、及び装置２６の第２キャビティ７４の圧力と同じであるか又は関連する。このように、静圧孔２２での気圧を、第２キャビティ７４からダイアフラム６８に作用する圧力と関連付けることができる。例えば、ガス透過膜２４の特性に基づいて、この圧力を測定することができる。
【００２０】
ダイアフラム６８が、第１キャビティ７２及び第２キャビティ７４から作用し互いに対向する圧力に応答するように、ダイアフラム６８を調整することができる。ある実装では、ダイアフラム６８は、機械的な計器７６又は他の従来の装置（大気速度計等）を作動させる。他の実装では、ダイアフラム６８（圧電デバイス等）は電気的な出力を提供するように構成される。このように、ダイアフラム６８は、電気的な出力を、適切なエアデータを測定して出力するように構成されるプロセッサ８０に提供することができる。このエアデータは、動圧孔の圧力（又は動的チャンバ）と静圧孔（又は静的チャンバ）の圧力の差の測定に、少なくとも部分的に基づくことができる。すなわち、当該測定を行うために実際の圧力値を求めることを不要とすることができる。したがって、本明細書で使用される用語「動的」は、広義に解釈されるべきであり、ベルヌーイの定理における「動圧」に限定して解釈されるべきではない。このエアデータは、空気の速度、垂直速度、高度等に関連するデータを含むことができる。
【００２１】
ＵＡＶ３０が水分及びデブリ（雨、みぞれ、雪、霧、ちり、砂等）を有する空気中を飛ぶ際に、当該水分及びデブリは、穴１４を通過することができるとともに、動圧孔２０及び静圧孔２２からそれることができる。穴１４内で、上流部４０及び下流部４２の親水性表面は水分を引き付けることができ、スロート部３４内の疎水性表面は水分をはじくことができる。このように、スロート部３４の動圧孔２０から水分をそらすことができる。動圧孔２０及び静圧孔２２にわたるガス透過膜２４も、浸透を抑制することで水分をそらすことができ、いくつかの例では、膜２４自体を疎水性物質で構成することができる。さらに、ラム空気がスロート部３４を通過する際に、ラム空気の速度が上昇するため、いくらかの水分及びデブリをスロート部３４から押出して、動圧孔２０からそらすことができる。最後に、動圧孔２０及び静圧孔２２の両方は、氾濫する空気に対して垂直向きであるため、水分又はデブリが孔２０，２２の中又は周囲に、捕らえられ又は留まる機会が最小化される。動圧孔２０及び静圧孔２２から水分をそらすことで、動圧孔２０及び静圧孔２２が凍結したり詰まったりする機会も最小化される。
【００２２】
ＵＡＶ３０が液体に沈んだ時でさえも、水分をそらすことができる。例えば、ＵＡＶが着水して、穴１４が満ち又は沈んだ場合に、離陸又は飛行再開時に、水が自己排水する（self-drain）ことができ、又は水が穴１４から出ることができる。さらに、エアデータシステム１０の疎水性膜２４は、３メートルまでの高さの液体（up to 3 meters of liquid）の進入を阻止することができる。 
【００２３】
エアデータシステムの他の実装には、第１通路６４及び第２通路６６と、装置２６と、ハウジング１２に搭載されるコンピュータ７８とを備えるエアデータシステムが含まれる。
【００２４】
別の実装では、エアデータ静圧孔２２を穴１４に、より具体的には上流部４０又は下流部４２に、配置することができる。
【００２５】
別の実装では、複数の装置２６を存在させて、それぞれの装置を１つの動圧孔２０及び１つの静圧孔２２と組にすることができる。それぞれの動圧孔２０を単一の動的空気チャンバ５０に連通させることができ、それぞれの静圧孔２２を単一の静的空気チャンバ５２に連通させることができる。例えば、図示した動的空気チャンバ５０及び静的空気チャンバ５２を別区画に分けることができる。この実装では、コンピュータのプロセッサ８０は、それぞれの装置２６から電子入力データを受け取ることができ、当該入力デ―タを平均し又は使用して、（例えば空気速度を測定するための）エアデータを出力することができる。さらに、測定を行う際に（例えば特定の入力データが異常であるとき、又は、特定の入力データが所定のしきい値若しくは平均値よりも、大きい若しくは小さいときに）、１つ以上の装置２６からの入力データを除外し又は省くように、プロセッサ８０を構成することができる。例えば、ある装置２６からの入力データと、他の１つ以上の入力データとの差が、所定の値よりも大きい又は小さいときに、当該入力データを異常であるとして除外することができる。また例えば、プロセッサは、その孔が詰まっている又は遮られていると推測した特定の装置２６が集めたデータを、除外することができる。複数の動圧孔２０及び静圧孔２２を利用する実施形態では、エアデータシステム１０は、例えばミッションクリティカルな計器（対気速度計等）のための、冗長性を有する。
【００２６】
別の実装では、スロート部３４を穴１４の一部としなくてもよく、すなわち穴１４を狭窄させなくてもよい。例えば、穴１４を円柱形状とすることができる。
【００２７】
当然ながら、多数の変形が可能である。例えば、それぞれの動的空気チャンバ５０又はそれぞれの静的空気チャンバ５２に対して、２つ以上の孔２０、２２を存在させることができる。また例えば、複数の動的空気チャンバ５０を分離させるが、静的空気チャンバ５０は分離させないこともできる（又は、逆もまた同様）。他の実装も当業者にとって明らかであろう。
【００２８】
本方法を、１台以上のコンピューティング装置７８によって実行可能な１つ以上のコンピュータプログラムとして、実施することができる。当該コンピュータプログラムを実行して、エアデータシステム１０に本方法を実行させる。そして、当該方法に関連する様々なデータを、適切なメモリ８２に格納することができる。コンピュータプログラムは、アクティブ及び非アクティブ双方の、様々な形態で存在することができる。例えばコンピュータプログラムは、ソースコード、オブジェクトコード、実行可能コード又は他のフォーマットのプログラム命令で構成されるソフトウェアプログラム、ファームウェアプログラム又はハードウェア記述言語（ＨＤＬ）のファイルとして存在することができる。上述したもののいずれかを、コンピュータが使用可能な媒体又はコンピュータが使用又は読取可能な媒体に具現化することができ、当該媒体には１つ以上の記憶装置又は記憶物が含まれる。例示的なコンピュータが使用可能な記憶装置には、通常のコンピュータシステムのＲＡＭ（ランダムアクセスメモリ）、ＲＯＭ（読み出し専用メモリ）、ＥＰＲＯＭ（消去可能プログラマブルＲＯＭ）、ＥＥＰＲＯＭ（電気的消去可能プログラマブルＲＯＭ）、磁気ディスク、磁気テープ、オプティカルディスク及びオプティカルテープが含まれる。したがって、本方法を、上述した機能を実行できる任意の電子デバイスによって少なくとも部分的に実施することができることが理解される。
【００２９】
このように、エアデータシステム１０と、エアデータシステム１０を使用して差圧を測定する方法との両方を開示した。エアデータシステム１０を、地上に対して固定することができ、又は上述したＵＡＶ３０等の移動物体上に配置して使用することができる。ラム空気を穴１４内へ受け入れるときに、１つ以上の動圧孔２０に受け入れられる動的空気と、１つ以上の静圧孔２２に受け入れられる静的空気と使用して差圧を測定することができる。この測定をダイアフラム６８等の装置２６で実施することができ、この測定にコンピュータ７８又はプロセッサ８０を使用しても使用しなくてもよい。孔２０、２２の位置及び向きのために孔２０、２２の閉塞はより起こりにくくなる。さらに、ガス透過膜２４、穴１４のスロート部３４、及び穴１４の上流部４０及び下流部４２に戦略的に配置された親水性表面及び疎水性表面を備える様々な構成によって、動圧孔２０及び／又は静圧孔２２から水分をそらす。
【００３０】
この明細書は、発明の限定を記述するのではなく、特許請求の範囲に記載された本発明の実施形態を説明するだけのものである。したがって本明細書の文面は、もっぱら説明的なものであり、限定的なものではない。明らかに、この発明を本明細書が教示する事項から変更することができる。特許請求の範囲の範囲内で、上述したものとは異なる発明を実施することができる。
【図１】
0006560223.tif 000002
【図２】
0006560223.tif 000003
【図３】
0006560223.tif 000004
【図４】
0006560223.tif 000005
【図５】
0006560223.tif 000006